(57)【特許請求の範囲】
【請求項１】
回転シリンダに搭載され、ビデオ信号及びハイファイオーディオ信号の一方を磁気テープに記録または消去し、前記ビデオ信号はビデオトラックに、前記ハイファイオーディオ信号は前記ビデオ信号が記録済みのビデオトラックに重畳されるハイファイオーディオトラックに記録または消去する回転ヘッド、
オーディオ信号を前記磁気テープに記録するリニアオーディオ記録ヘッド、
消去信号として直流信号を印加することで記録されたオーディオ信号を消去するオーディオイレースヘッド、
前記回転ヘッドよりもテープの走行方向に関して先行した位置に配置されている磁気テープの全幅消去を行うフルイレースヘッド、
コントロール信号を磁気テープに記録または消去するコントロールヘッド、及び
少なくとも磁気テープの走行と信号の記録及び消去とを制御する制御手段
を有する磁気記録再生装置において、
前記制御手段は、
磁気テープに記録された信号の高速消去命令が外部から入力されたときに磁気テープを
所定時間が経過する前は、通常のテープ走行速度で走行させるとともに、前記回転ヘッドに対して前記ハイファイオーディオ信号の左右何れかのキャリア成分のみを前記ビデオトラック及び前記ハイファイオーディオトラックの消去信号として供給して、この消去信号を磁気テープに記録することによりテープ頭に残る記録済みのビデオトラックのビデオ信号及びこれに重畳して記録されているハイファイオーディオトラックのハイファイオーディオ信号を消去させ、且つ、前記オーディオイレースヘッド、前記フルイレースヘッド、前記コントロールヘッドに消去動作を実行させ、
前記所定時間の経過後は磁気テープを通常のテープ走行速度より速い速度で走行させるとともに、少なくとも前記オーディオイレースヘッド、前記フルイレースヘッド、及び前記コントロールヘッドに消去動作を継続させ、
前記フルイレース発振手段が前記フルイレースヘッドに供給する消去信号の周波数は、前記所定時間の経過の前の通常のテープ走行速度で磁気テープを走行させる時から前記所定時間の経過の後の通常のテープ走行速度より速い速度で走行させる時までを通じて一定であることを特徴とする磁気記録再生装置。
【請求項２】
前記コントロールヘッドに消去信号として直流信号を印加することを特徴とする請求項１に記載の磁気記録再生装置。
【請求項３】
前記制御手段は高速消去命令が外部から入力されたときに、磁気テープをその始端まで巻戻した後、該磁気テープの始端から終端までの消去動作を実行することを特徴とする請求項１または２に記載の磁気記録再生装置。
【請求項４】
前記制御手段は、終端までの消去が終了したとき、磁気テープを始端まで巻戻した後に外部から供給される電源を遮断することを特徴とする請求項３に記載の磁気記録再生装置。
【請求項５】
前記制御手段は高速消去命令が外部から入力されたときに、その時点のテープ位置から終端までの消去動作を実行することを特徴とする請求項１又は２に記載の磁気記録再生装置。
【請求項６】
前記制御手段は、終端までの消去が終了したとき、磁気テープを消去開始位置まで巻き戻すことを特徴とする請求項５に記載の磁気記録再生装置。
【発明の詳細な説明】
【０００１】
【発明の属する技術分野】
本発明は、磁気記録再生装置、具体的には高速消去機能を備えた磁気記録再生装置に関する。
【０００２】
【従来の技術】
高速消去機能を備えた磁気記録再生装置は、例えば特開平１−２６９２０３号公報に記載されている。この装置は図４に示すような構成を有する。同図において、１は回転シリンダ、２はフライングイレースヘッド、３はフルイレースヘッド、４はオーディオイレースヘッド、５は磁気テープ、６はオーディオ発振回路、７はビデオ発振回路、８は高速フルイレース用発振回路、９は通常フルイレース用発振回路、１０はスイッチ回路、１２は制御回路、１３は高速消去モードキー、１４は磁気テープ駆動回路（以下ＭＤＡ回路という）である。
【０００３】
フルイレースヘッド３は磁気テープの全幅消去を行うためのものであり、通常記録時または再生時のテープ速度での消去を行う場合は通常フルイレース用発振回路９から７０ｋＨｚの周波数の消去信号が供給され、高速消去を行う場合は高速フルイレース用発振回路８から１７０ｋＨｚの周波数の消去信号が供給される。高速消去の場合に高い周波数の信号が供給されるのは、高速消去を行った部分を通常の速度で再生すると再生信号の周波数が可聴帯域まで下がり、ノイズとして聞こえることを防止するためである。以下この装置の高速消去動作を説明する。
【０００４】
ユーザが記録されている映像を高速消去するために高速消去モードキー１３を押すと、制御回路１２はＭＤＡ回路１４に磁気テープの駆動を開始させると共に、各発振回路及びスイッチ回路にも制御信号を送り各ヘッドへの消去信号の供給を開始させる。このとき、フルイレースヘッド３は回転シリンダ１に搭載された記録ヘッドよりもテープ走行方向に関して先行した位置に配置されているので、ユーザが再生画面を見ながら消去位置を決めて消去を開始する場合、フルイレースによる消去だけでは磁気テープに消し残り部分ができてしまう。そのため、消去動作の開始から所定時間ｔ１が経過するまでは通常記録時と同じ速度で磁気テープを走行させ、フライングイレースヘッド２によるビデオトラックに沿った映像消去と、オーディオイレースヘッド４による音声消去と、通常発振（通常フルイレース用発振回路９の７０ｋＨｚの発振）でのフルイレースヘッド３による全幅消去とを実行する。
【０００５】
開始から所定時間ｔ１が経過した時点で通常記録時の１０倍の速度で消去を行うようにするため、制御回路１２はＭＤＡ回路１４に磁気テープを１０倍速で走行させ、フルイレースヘッド３のみに消去動作を実行させる。このとき、上に説明したように通常の速度での再生時に、オーディオノイズが発生することを防止するために、スイッチ回路１０により通常フルイレース用発振回路９から高速フルイレース用発振回路８に切替え、フルイレースヘッド３に１７０ｋＨｚの周波数の消去信号を供給する。
【０００６】
図５に上記装置の各回路の動作状態を示す。同図に示すように消去開始から時間ｔ１が経過するまでは通常消去期間であり、この期間ではオーディオ発振回路６、ビデオ発振回路７及び通常フルイレース用発振回路９はオン状態でありそれぞれ消去信号を供給し、一方、高速フルイレース用発振回路８はオフの状態である。時間ｔ１が経過した後は高速消去期間となり、オーディオ発振回路６、ビデオ発振回路７及び通常フルイレース用発振回路９はオフに切り替り、一方、高速フルイレース用発振回路８はオンに切り替る。
【０００７】
【発明が解決しようとする課題】
以上説明したように、高速消去機能を備えた従来の磁気記録再生装置は、高速消去用の特別の発振回路、発振回路間の切替を行うためのスイッチ回路、それらの動作を制御するための複雑な制御ルーチンを必要とするのでコスト面で不利であるばかりでなく、基板上の部品点数が多いので不良が発生しやすくなることから検査工程が複雑になるという問題がある。
【０００８】
【課題を解決するための手段】
本発明は上記の問題に鑑みなされたものであり、高速消去用の特別の発振回路、発振回路間の切替を行うためのスイッチ回路、それらの動作を制御するための複雑な制御ルーチンを追加することなく高速消去動作を実行し得る磁気記録再生装置を提供することを目的とする。
【０００９】
上記目的を達成すべく、請求項１に記載の発明によれば、回転シリンダに搭載され、ビデオ信号及びハイファイオーディオ信号の一方を磁気テープに記録または消去し、前記ビデオ信号はビデオトラックに、前記ハイファイオーディオ信号は前記ビデオ信号が記録済みのビデオトラックに重畳されるハイファイオーディオトラックに記録または消去する回転ヘッド、オーディオ信号を前記磁気テープに記録するリニアオーディオ記録ヘッド、消去信号として直流信号を印加することで記録されたオーディオ信号を消去するオーディオイレースヘッド、前記回転ヘッドよりもテープの走行方向に関して先行した位置に配置されている磁気テープの全幅消去を行うフルイレースヘッド、コントロール信号を磁気テープに記録または消去するコントロールヘッド、及び少なくとも磁気テープの走行と信号の記録及び消去とを制御する制御手段を有する磁気記録再生装置において、
前記制御手段は、磁気テープに記録された信号の高速消去命令が外部から入力されたときに磁気テープを所定時間が経過する前は、通常のテープ走行速度で走行させるとともに、前記回転ヘッドに対して前記ハイファイオーディオ信号の左右何れかのキャリア成分のみを前記ビデオトラック及び前記ハイファイオーディオトラックの消去信号として供給して、この消去信号を磁気テープに記録することによりテープ頭に残る記録済みのビデオトラックのビデオ信号及びこれに重畳して記録されているハイファイオーディオトラックのハイファイオーディオ信号を消去させ、且つ、前記オーディオイレースヘッド、前記フルイレースヘッド、前記コントロールヘッドに消去動作を実行させ、前記所定時間の経過後は磁気テープを通常のテープ走行速度より速い速度で走行させるとともに、少なくとも前記オーディオイレースヘッド、前記フルイレースヘッド、及び前記コントロールヘッドに消去動作を継続させ、
前記フルイレース発振手段が前記フルイレースヘッドに供給する消去信号の周波数は、前記所定時間の経過の前の通常のテープ走行速度で磁気テープを走行させる時から前記所定時間の経過の後の通常のテープ走行速度より速い速度で走行させる時までを通じて一定であることを特徴とする。
【００１１】
請求項２に記載の発明は、請求項１に記載の発明において、前記コントロールヘッドに消去信号として直流信号を印加することを特徴とする。
【００１３】
請求項３に記載の発明は、請求項１または２に記載の発明において、前記制御手段は高速消去命令が外部から入力されたときに、磁気テープをその始端まで巻戻した後、該磁気テープの始端から終端までの消去動作を実行することを特徴とする。
【００１４】
請求項４に記載の発明は、請求項３に記載の発明において、前記制御手段は、終端までの消去が終了したとき、磁気テープを始端まで巻戻した後に外部から供給される電源を遮断することを特徴とする。
【００１５】
請求項５に記載の発明は、請求項１または２に記載の発明において、前記制御手段は高速消去命令が外部から入力されたときに、その時点のテープ位置から終端までの消去動作を実行することを特徴とする。
【００１６】
請求項６に記載の発明は、請求項５に記載の発明において、前記制御手段は、終端までの消去が終了したとき、磁気テープを消去開始位置まで巻き戻すことを特徴とする。
【００１７】
【発明の実施の形態】
図１に本発明の高速消去機能を備えた磁気記録再生装置の一実施形態の構成を示す。同図において、１は回転シリンダ、３はフルイレースヘッド、５は磁気テープ、１６はハイファイ（ＨｉＦｉ）オーディオヘッド、３０はＡＥ（オーディオイレース）ヘッド、３１はリニアオーディオ記録ヘッド、３２はＣＴＬ（制御）ヘッド、９はフルイレース用発振回路、１７はハイファイオーディオ回路、１２は制御回路、１３は高速消去モードキー、１４は磁気テープ駆動回路（以下ＭＤＡ回路という）、１８はリニアオーディオ消去信号回路、３５はリニアオーディオ記録ヘッドを制御する制御スイッチである。図１において図４に示した要素と同じあるいは対応する要素には同じ符号を付している。
【００１８】
ＡＥヘッド３０は、リニアオーディオ消去信号回路１８から供給されるＤＣ信号（直流電圧または電流信号）を記録することにより音声信号（リニアオーディオトラック）を消去するためのヘッドである。ハイファイオーディオヘッド１６はハイファイオーディオ回路１７から供給されるハイファイオーディオ信号（キャリアを音声信号で周波数変調して得られる信号）をビデオトラックに重畳して記録するヘッドであるが、本実施形態では１．３ＭＨｚ（Ｌ）あるいは１．７ＭＨｚ（Ｒ）のキャリア成分のみの消去信号を供給することにより映像信号及びハイファイ音声信号を消去するためにも使用している。リニアオーディオ記録ヘッド３１は、音声信号をリニアオーディオトラックとして記録するヘッドである。ＣＴＬヘッド３２は磁気テープにテープ走行速度制御等のためのＣＴＬ（制御）信号を記録及び消去するためのヘッドである。以下に上記構成を有する磁気記録再生装置の高速消去動作を、図２の磁気テープの記録状態の説明図を参照して説明する。
【００１９】
ユーザが記録されている映像を高速消去するために高速消去モードキー１３を押すと、制御回路１２はＭＤＡ回路１４に磁気テープ５の駆動を開始させると共に、各発振回路及びスイッチ回路にも制御信号を送り各ヘッドへの消去信号の供給を開始させる。ここではテープ頭まで通常の巻戻し動作が行われた後にテープ頭からの消去動作を開始するものとする。テープ頭に記録されている情報も残さず消す必要があるので、消去開始から所定の時間ｔ２が経過するまでの期間は磁気テープを通常記録または再生時と同じ速度で走行させる。
【００２０】
このとき、制御回路１２は、ハイファイオーディオ回路１７に１．３ＭＨｚないし１．７ＭＨｚのハイファイ音声信号のキャリア成分のみからなる消去信号をハイファイヘッド１６に供給させる。ハイファイオーディオヘッド１６がこの消去信号を磁気テープ５に記録することによりテープ頭に残る記録済みのビデオトラック２１及びこれに重畳して記録されているハイファイオーディオトラック（不図示）が消去される。
【００２１】
また、制御回路１２はリニアオーディオ消去信号回路１８に内部の切替え回路を作動させ、リニアオーディオトラック消去用のＤＣ信号をＡＥヘッド３０に供給させる。ＡＥヘッド３０がこのＤＣ信号を磁気テープ５に記録することによりテープ頭に残る記録済みのリニアオーディオトラック２２が消去される。
【００２２】
また、制御回路１２は、フルイレース用発振回路９に７０ｋＨｚの消去信号をフルイレースヘッド３に供給させる。フルイレースヘッド３がこの７０ｋＨｚの消去信号を磁気テープに記録することにより全幅消去が行われる。
【００２３】
また、制御回路１２は、リニアオーディオ記録ヘッド３１を制御するスイッチ３５をオフにし、リニアオーディオ記録ヘッド３１にフルイレース用発振回路９の７０ｋＨｚの消去信号を供給しないようにする。
【００２４】
更に、制御回路１２は、ＣＴＬヘッド３２に対しＣＴＬ書き込みパルスに代えてＣＴＬトラック消去用のＤＣ信号を供給する。ＣＴＬヘッド３２が磁気テープ５にこのＤＣ信号を記録することによりテープ頭に残る記録済みのＣＴＬパルス２０及びＣＴＬトラック２３が消去される。
【００２５】
消去開始から所定の時間ｔ２（約２０秒）が経過すると、通常消去モードから高速消去モードに移行するため、制御回路１２はＭＤＡ回路１４に磁気テープを通常記録時または再生時の１５倍の速度で走行させる。
【００２６】
このとき、制御回路１２はハイファイオーディオ回路１７にハイファイオーディオヘッド１６への消去信号の供給を停止させる。一方、フルイレースヘッド３に対する７０ｋＨｚの消去信号の供給、リニアオーディオ記録ヘッド３１への消去信号の供給停止、ＡＥヘッド３０に対するＤＣ信号の供給、及びＣＴＬヘッド３２に対するＤＣ信号の供給は継続させ、これにより磁気テープの全幅消去、リニアオーディオトラック２２の消去及びＣＴＬトラック２３の消去動作は引き続き実行される。
【００２７】
上に説明したように本実施形態では、高速消去モード時、ＡＥヘッド３０にＤＣ信号を印加してリニアオーディオトラックの消去を行う。従って、通常消去モードから高速消去モードへの移行時、フルイレースヘッド３に供給する消去信号の周波数を切替えることなく７０ｋＨｚのままで全幅消去を行っても、従来とは異なり、高速消去を行った部分を通常の速度で再生したときにリニアオーディオトラックからの再生信号の周波数が可聴帯域に入りノイズとして聞こえるという問題が発生することはない。従って高速消去のための特別の発振回路、発振回路切替え用のスイッチ回路は不要である。
【００２８】
更に、本実施形態では、リニアオーディオトラックの消去は通常の録画時にもＤＣ信号の印加により行うようにしたので信号切替え回路やそれらの制御は不要である。また、制御回路１２を、通常の記録時はＣＴＬ書き込みパルスをＣＴＬヘッド３２に供給し、消去時にはＣＴＬ書き込みパルスに代えてＤＣ信号をＣＴＬヘッド３２に供給するように、自身で出力制御する構成としたので、リニアオーディオトラック消去用の信号を発生する特別の発振回路やその制御信号も不要である。
【００２９】
図３に本実施形態の上記消去動作における各回路の動作状態を示す。同図に示すように、通常消去モードではハイファイオーディオ回路１７はキャリアのみの信号を出力し、高速消去モードではハイファイオーディオ回路１７は出力を停止するが、その他の点では通常消去モードと高速消去モードの間に相違はない。消去動作は、ユーザからの停止コマンドが無い限りテープ終端まで実行される。制御回路１２は、消去終了後、磁気テープの巻き戻し動作を行い、その後、装置の電源をオフにする制御を行う。
【００３０】
消去終了後に録画モードに移行した時には、図３に示すように、ハイファイオーディオ回路１７から音声信号（ハイファイオーディオ信号）がハイファイオーディオヘッド１６に供給されて磁気テープに記録され、また、制御回路１２から３０ＨｚのＣＴＬ書き込みパルスがＣＴＬヘッド３２に供給され磁気テープに記録され、更に制御スイッチ３５がオンとなり、リニアオーディオ記録ヘッド３１に音声信号を含む７０ｋＨｚの信号が供給され、磁気テープに記録される。
【００３１】
テープの途中で高速消去を開始し、高速消去終了後に消去開始点まで磁気テープを巻き戻すようにしてもよい。この場合、消去開始点のテープカウンタ値を制御回路１２が記憶しておき、消去終了後テープ終端から巻戻して行き、ＣＴＬパルスを見つけた時点で一端巻戻しを停止する。そして記憶されているカウンタ値との比較を行いながら磁気テープを送り、一致した時点でテープ送りを停止する。
【００３２】
本実施の形態では、所定の時間ｔ２（通常のテープ速度で磁気テープを走行させて消去を行う時間）を約２０秒としたが、これは磁気テープの頭に残るビデオトラックを消去するのに十分な時間であればよく、２０秒に限定されるものではない。また、ビデオトラックの消去にハイファイオーディオ信号のキャリア成分を利用しているが、消去後の再生時におけるオーディオノイズが問題とならなければビデオ信号のキャリア成分を利用して消去するようにしてもよい。また、所定の時間ｔ２の経過後はハイファイオーディオ回路１７の発振を停止させ、ハイファイオーディオヘッド１６による消去を行わないようにしているが、高速消去モード中もハイファイオーディオ回路１７が発振を継続するようにしてもよい。
【００３３】
また、本実施形態では高速消去を行う際、磁気テープを頭まで巻き戻してから消去を開始しているが、これに限定されるものではない。例えば、テープ途中の任意の位置から消去を開始するモードを追加してもよい。また、テープ終端まで消去した後、自動的に巻戻しを行うようにしているが、そのまま停止させてもよい。さらに、高速消去モード中に他のモードに移行できるようにしてもよく、あるいは他のモードへの移行を禁止するようにしてもよい。
【００３４】
制御回路１２をマイクロコンピュータで構成してもよく、この場合、制御用のソフトウェアサーボを内蔵したマイクロコンピュータを用いれば回路構成を簡略化することができる。また、高速消去をユーザのキーインにより即座に開始するようにしてもよいが、誤消去を防止するためにキーを一定の時間、例えば４秒以上押し続けない限り高速消去を開始しないようにしてもよい。
【００３５】
【発明の効果】
請求項１に記載の発明によれば、高速消去用の特別の発振回路、発振回路間の切替を行うためのスイッチ回路、それらの動作を制御するための複雑な制御ルーチンを追加することなく、磁気記録再生装置に高速消去機能を持たせることができる。これにより、不良発生が少なく、安価な高速消去機能付き磁気記録再生装置を提供することができる。また、リニアオーディオトラックをＡＥヘッドにＤＣ信号を印加して消去することにより、高速消去時のテープ走行速度に関わり無く、消去後の通常再生時におけるオーディオノイズの発生を防止できる。
【００３６】
請求項２に記載の発明によれば、ＣＴＬトラックをＣＴＬヘッドにＤＣ信号を印加して消去することにより、ＣＴＬトラック消去用の信号を発生する特別の発振回路や通常の録画時と消去時とでＣＴＬヘッドに供給する信号の切替え回路が不要となる。
【００３８】
請求項３に記載の発明によれば、一回のキー操作のみでテープの頭から終端まで全ての部分の高速消去を、任意のテープ位置で開始することができる。
【００３９】
請求項４に記載の発明によれば、テープ終端までの高速消去が終了した後、装置の電源を落とし自動的にシャットダウンさせることにより、ユーザは時間の無い時、夜中、あるいは留守中等にテープの内容を全て消去することができる。
【００４０】
請求項５に記載の発明によれば、ユーザは、任意のテープ位置から後の部分を高速消去することができ、操作性が向上する。
【００４１】
請求項６に記載の発明によれば、任意のテープ位置から後の部分を消去した後、自動的に消去開始位置までテープが巻戻されるので、次に録画を行う際、未記録部分を探す手間を省くことができる。
【図面の簡単な説明】
【図１】  本発明の磁気記録再生装置の一実施形態の構成図である。
【図２】  図１の磁気記録再生装置における磁気テープの記録状態の説明図である。
【図３】  図１の磁気記録再生装置の各ヘッドの動作状態の説明図である。
【図４】  高速消去機能を有する従来の磁気記録再生装置の構成図である。
【図５】  図４の磁気記録再生装置の各回路の動作状態の説明図である。
【符号の説明】
１  回転シリンダ、  ２  フライングイレースヘッド、  ３  フルイレースヘッド、  ４  オーディオイレースヘッド、  ５  磁気テープ、  ６  オーディオ発振回路、  ７  ビデオ発振回路、  ８  高速フルイレース用発振回路、  ９  通常フルイレース用発振回路、  １０  スイッチ回路、  １２  制御回路、  １３  高速モードキー、  １４  磁気テープ駆動回路、  １６  ハイファイオーディオヘッド、  １７  ハイファイオーディオ回路、  １８  リニアオーディオ消去信号回路、  ３０  ＡＥヘッド、  ３１  リニアオーディオ記録ヘッド、  ３２  ＣＴＬヘッド、  ３５  リニアオーディオ記録ヘッドを制御する制御スイッチ。
【図１】
0003926185.tif 000002
【図２】
0003926185.tif 000003
【図３】
0003926185.tif 000004
【図４】
0003926185.tif 000005
【図５】
0003926185.tif 000006